(57)【特許請求の範囲】
【請求項１】
記録再生手段を収納した本体部と、上記記録再生手段に対して第１のコード束を介して接続され、この第１のコード束を介して該記録再生手段との間で操作信号の授受を行う本体に着脱可能なリモートコントロール装置と、上記本体部内に回転操作可能に配設され、上記第１のコード束を巻き取ってこの第１のコード束を該本体部内に収納させる第１のコードリールと、上記リモートコントロール装置に対して第２のコード束を介して接続され、この第２のコード束及び上記第１のコード束を介して、上記記録再生手段との間で音響信号の授受を行う電気−音響変換装置と、上記リモートコントロール装置内に回転操作可能に配設され、上記第２のコード束を巻き取ってこの第２のコード束を該リモートコントロール装置内に収納させる第２のコードリールとを備えた記録再生装置。
【請求項２】
第１のコードリールをこの第１のコードリールが第１のコード束を巻き取る方向に回転付勢する第１の付勢手段と、上記第１のコードリールの回転を解除操作可能に阻止する第１の係止機構と、第２のコードリールをこの第２のコードリールが第２のコード束を巻き取る方向に回転付勢する第２の付勢手段と、上記第２のコードリールの回転を解除操作可能に阻止する第２の係止機構とを備え、上記第１の係止機構は、本体部に設けられたリモートコントロール装置保持部にリモートコントロール装置が保持されているときには、上記第１のコードリールに対する回転の阻止の解除操作をなされると、この解除操作に連動して上記第２の係止機構を操作して、上記第２のコードリールの回転の阻止を解除させる請求項１記載の記録再生装置。
【発明の詳細な説明】
【０００１】
【産業上の利用分野】
本発明は、テープレコーダ装置、テーププレーヤ装置、ディスクレコーダ装置、または、ディスクプレーヤ装置の如き記録再生装置に関する。
【０００２】
【従来の技術】
従来、テープレコーダ装置、テーププレーヤ装置、ディスクレコーダ装置、または、ディスクプレーヤ装置の如き記録再生装置が提案されている。
このような記録再生装置においては、本体部に記録再生手段となる記録再生部を収納し、この記録再生部に対し、コード束を介してリモートコントロール装置を接続して構成されたものがある。
【０００３】
上記記録再生部は、テープカセットやディスクカートリッジの如き記録媒体が装着される記録媒体装着部と、光学ピックアップ装置や磁気ヘッド装置等とを有して構成されている。
そして、上記リモートコントロール装置は、手動操作に応じた操作信号を生成して、上記コード束を介して上記記録再生部に送る。上記記録再生部は、送られた操作信号に応じて、記録、再生、選曲、停止等の各モードを実行する。
【０００４】
また、上記記録再生部より出力される音響信号は、この記録再生部にコード束を介して接続された電気−音響変換装置、すなわち、ヘッドホン装置により、音響に変換される。
なお、上記記録再生部及び上記リモートコントロール装置を接続するコード束と、該記録再生部及び上記ヘッドホン装置とを接続するコード束とは、一本にまとめられ、該記録再生部及び該ヘッドホン装置とを接続するコード束の途中の部分に該リモートコントロール装置が位置する状態となされている。
【０００５】
一方、この記録再生装置においては、上記記録再生部及び上記ヘッドホン装置とを接続するコード束を、上記本体部内に回転操作可能に配設したコードリールに巻取って、該本体部内に収納するように構成されたものがある。
【０００６】
【発明が解決しようとする課題】
ところで、上述のような記録再生装置においては、上記記録再生部及び上記ヘッドホン装置とを接続するコード束の途中の部分に上記リモートコントロール装置が位置する場合においては、このコード束を上記コードリールに巻き取ることができない。
【０００７】
ここで、上記記録再生部及び上記リモートコントロール装置を接続するコード束と、該記録再生部及び上記ヘッドホン装置とを接続するコード束とを、別個独立のコード束とし、これら各コード束に対応するコードリールを設け、該各コード束を対応するコードリールに巻取るように構成することが考えられる。
しかしながら、上記本体部内に２個のコードリールを配設することは、この本体部の構成の複雑化、大型化を招来し、また、使用中においては、上記各コード束同士が絡み合う虞れがある。
【０００８】
そこで、本発明は、上述の実情に鑑みて提案されるものであって、記録再生手段に対してコード束を介して接続されたリモートコントロール装置及び電気−音響変換装置を有する記録再生装置であって、携帯時等にはこのコード束を装置内に収納することができ、また、このコード束の絡み等の不便が解消された記録再生装置を提供することを目的とする。
【０００９】
【課題を解決するための手段】
上述の課題を解決し上記目的を達成するため、本発明に係る記録再生装置は、記録再生手段を収納した本体部と、該記録再生手段に対して第１のコード束を介して接続されこの第１のコード束を介して該記録再生手段との間で操作信号の授受を行う本体に着脱可能なリモートコントロール装置と、該本体部内に回転操作可能に配設され該第１のコード束を巻き取ってこの第１のコード束を該本体部内に収納させる第１のコードリールと、該リモートコントロール装置に対して第２のコード束を介して接続されこの第２のコード束及び上記第１のコード束を介して該記録再生手段との間で音響信号の授受を行う電気−音響変換装置と、該リモートコントロール装置内に回転操作可能に配設され該第２のコード束を巻き取ってこの第２のコード束を該リモートコントロール装置内に収納させる第２のコードリールとを備えたものである。
【００１０】
また、本発明は、上記記録再生装置において、上記第１のコードリールをこの第１のコードリールが上記第１のコード束を巻き取る方向に回転付勢する第１の付勢手段と、該第１のコードリールの回転を解除操作可能に阻止する第１の係止機構と、上記第２のコードリールをこの第２のコードリールが上記第２のコード束を巻き取る方向に回転付勢する第２の付勢手段と、該第２のコードリールの回転を解除操作可能に阻止する第２の係止機構とを設け、上記第１の係止機構は、上記本体部に設けられたリモートコントロール装置保持部に上記リモートコントロール装置が保持されているときには、上記第１のコードリールに対する回転の阻止の解除操作をなされると、この解除操作に連動して上記第２の係止機構を操作して、上記第２のコードリールの回転の阻止を解除させることとしたものである。
【００１１】
【作用】
本発明に係る記録再生装置においては、リモートコントロール装置を本体部内の記録再生手段に接続させる第１のコード束は、該本体部内に回転操作可能に配設された第１のコードリールに巻き取られ、電気−音響変換装置を該リモートコントロール装置に対して接続させる第２のコード束は、該リモートコントロール装置内に回転操作可能に配設された第２のコードリールに巻き取られるので、これら各コード束がそれぞれ装置内に収納されるとともに、これら各コード束を引き出した状態においては、これら各コード束が一繋がりの状態となり、絡み合う虞れがない。そして、記録再生手段を収納した本体部に着脱可能なリモートコントロール装置は、本体部の操作部として機能をすることで、本体部の操作部を不要とする。
【００１２】
また、上記記録再生装置において、上記第１のコードリールを上記第１のコード束が巻き取られる方向に回転付勢する第１の付勢手段と、上記第２のコードリールを上記第２のコード束が巻き取られる方向に回転付勢する第２の付勢手段と、該第１のコードリールの回転を阻止する第１の係止機構と、該第２のコードリールの回転を阻止する第２の係止機構とを設け、上記第１の係止機構は、上記本体部に設けられたリモートコントロール装置保持部に上記リモートコントロール装置が保持されているときには、上記第１のコードリールに対する回転の阻止の解除操作をなされると、この解除操作に連動して上記第２の係止機構を操作して、上記第２のコードリールの回転の阻止を解除させることとした場合には、該第１の係止機構に対する一の操作により、上記第１のコード束及び上記第２のコード束のそれぞれを対応するコードリールに巻き取らせることができる。
【００１３】
【実施例】
以下、本発明の具体的な実施例を図面を参照しながら説明する。
この例は、本発明に係る記録再生装置を、テープカセットに記録された情報信号の再生を行うテーププレーヤ装置として構成した例である。以下の順序により説明する。
【００１４】
［１］本体部
［２］リモートコントロール装置
［３］第１のコードリール
［４］ヘッドホン装置
［５］第２のコードリール
［６］リモートコントロール装置保持部
［７］ヘッドホンホルダ
［８］テーププレーヤ装置の動作
【００１５】
［１］本体部
このテーププレーヤ装置は、図２に示すように、本体部１を有して構成されている。この本体部１は、シャーシ部２とこのシャーシ部２の前面側に取付けられる前面パネル部３と上記シャーシ部２の後面側に取付けられるカセット蓋部４とからなる外筺体を有して構成されている。
【００１６】
上記前面パネル部３は、上記シャーシ部２に対し、ネジ止め等の手段により固定して取付けられている。
上記カセット蓋部４は、上記シャーシ部２に対し一側側を回動可能に支持されており、上記シャーシ部２に突き合わせられる位置より、上記シャーシ部２より離間する位置に亘って、図２中矢印Ｃで示すように、他側側を上記シャーシ部２より離間させる方向に回動可能となされている。
【００１７】
なお、上記カセット蓋部４は、上記シャーシ部２内に設けられた図示しない蓋ロック機構により、該シャーシ部２に突き合わせられた位置で係止されるようになされている。そして、このカセット蓋部４は、上記シャーシ部２に設けられた係止解除レバー１０が操作されることにより、上記蓋ロック機構による係止を解除されて、該シャーシ部２より離間することが可能となされる。
【００１８】
上記シャーシ部２と上記前面パネル部３との間には、記録再生手段となる記録再生部を構成する図示しない電子回路基板が、該シャーシ部２に取り付けられて収納されている。
また、上記シャーシ部２と上記カセット蓋部４との間の部分は、テープカセット収納部となされている。上記シャーシ部２の後面部には、上記テープカセット収納部内に突出するように、上記記録再生部を構成する一対のリール駆動軸４８，４９が配設されている。これらリール駆動軸４８，４９は、上記シャーシ部２に配設されるモータにより回転駆動されるとともに、上記テープカセット収納部に装着される図示しないテープカセットの一対のテープリールに対応して係合し、これらテープリールを回転操作する。
【００１９】
また、上記シャーシ部２の後面部には、上記テープカセット収納部内に突出するように、上記記録再生部を構成する一対のキャプスタン軸５１，５１及び一対のカセット位置決めピン５０，５０が配設されている。これらカセット位置決めピン５０，５０は、上記テープカセットを構成するカセットに設けられた位置決め孔に嵌入係合して、該テープカセットの位置決めを行う。また、上記各キャプスタン軸５１，５１は、上記シャーシ部２内に配設されるモータにより回転駆動されるとともに、上記カセットに収納された磁気テープに当接し、該磁気テープを送り操作する。
【００２０】
また、上記カセット蓋部４の一側側には、上記テープカセット収納部内に突出するように、上記記録再生部を構成する一対のピンチローラ５４，５４及び再生ヘッド５２が配設されている。
上記再生ヘッド５２は、上記磁気テープに摺接し、該磁気テープよりの音響信号の読出しを行う。上記各ピンチローラ５４，５４は、ゴム等の摩擦係数の大きな材料により形成されており、上記各キャプスタン軸５１，５１と共働して上記磁気テープを挟持し、該キャプスタン軸５１による該磁気テープの送り操作を確実なものとする。
【００２１】
なお、上記再生ヘッド５２の両側側には、一対のテープガイド部材５３，５３が取付けられている。これらテープガイド部材５３，５３は、中央部に設けられた凹部に上記磁気テープを挿通させることにより、該磁気テープの上記再生ヘッド５２に対する走行位置を位置決めする。また、上記シャーシ部２と上記カセット蓋部４とは、互いに回動可能に連結されたリンク部材５５，５６により略々中央部同士を連結されている。
【００２２】
これらリンク部材５５，５６は、上記シャーシ部２及び上記カセット蓋部４に対しそれぞれ回動可能に取付けられており、これらシャーシ部２とカセット蓋部４との間の開き角度を規制している。
上記前面パネル部３の一方側の縁部近傍には、図１及び図３に示すように、リモートコントロール装置保持部１７が形成されている。このリモートコントロール装置保持部１７は、後述するリモートコントロール装置４に対応した形状の凹部として形成され、このリモートコントロール装置４が収納される。
【００２３】
［２］リモートコントロール装置
上記リモートコントロール装置４は、図７に示すように、上下ケース７６，７７が突き合わせられて構成された筐体部と、この筐体部に収納されたリモートコントロール回路基板７９とを有して構成されている。
【００２４】
上記リモートコントロール回路基板７９は、第１のコード束５及び後述する第１のコードリール２９を介して、上記記録再生部の電子回路基板に接続されている。この第１のコード束５の各コードの一端部分は、このリモートコントロール回路基板７９の回路パターン上の所定のランド部８１に半田付けされている。
この第１のコード束５は、上記電子回路基板と上記リモートコントロール回路基板７９との間で、上記記録再生部より出力される音響信号及びこのリモートコントロール装置４より該記録再生部に入力される操作信号の授受を行うためのコードの束である。
【００２５】
そして、このリモートコントロール回路基板７９上には、複数のダイヤフラムスイッチ、ホールドスイッチ８０、ボリューム９、及び、第２の操作信号用接点となる一対のロック溝部材４６，４６が配設されている。
上記複数のダイヤフラムスイッチ上には、操作スイッチ６を構成する複数の押釦が対応して配置されている。これら各押釦は、可撓性を有する合成樹脂材料等により、細径となされた支持杆部とともに一体的に形成されている。すなわち、上記各押釦は、上記支持杆部を介して、円弧状に配列された一繋がりの部材として形成されている。
【００２６】
上記各押釦は、上記リモートコントロール装置４の上面部に形成された複数の透孔７８を介して、このリモートコントロール装置４の上方側に臨んでいる。これら押釦は、上記リモートコントロール装置４の上方側より下方側に押圧操作されることにより、対応するダイヤフラムスイッチを押圧操作する。
この操作スイッチ６を構成する各押釦は、再生スイッチ（ＰＬＡＹ）、スイッチ巻戻し（ＲＥＷ）スイッチ、早送り（ＦＦ）スイッチ及び停止（ＳＴＯＰ）スイッチとして用いられる。すなわち、このリモートコントロール装置４は、押圧操作された押釦に応じた操作信号を、上記記録再生部の電子回路基板に入力する。
【００２７】
すなわち、上記再生スイッチが押圧操作されると、上記磁気テープを上記キャプスタン軸５１の回転速度に応じた所定の速度で送り操作して上記再生ヘッド５２による音響信号の読出しを行う再生モードを実行すべき操作信号が上記電子回路基板に入力され、該再生モードが実行される。
上記早送りスイッチが押圧操作されると、上記磁気テープを順方向に高速で送り操作する早送りモードを実行すべき操作信号が上記電子回路基板に入力され、該早送りモードが実行される。
【００２８】
上記巻戻しスイッチが押圧操作されると、上記磁気テープを逆方向に高速で送り操作する巻戻しモードを実行すべき操作信号が上記電子回路基板に入力され、該巻戻しモードが実行される。
そして、上記停止スイッチが押圧操作されると、上記再生モード、早送りモード、または、巻戻しモードを解除して動作を停止すべき操作信号が上記電子回路基板に入力され、上記再生モード、早送りモード、または、巻戻しモードが解除される。
【００２９】
上記ホールドスイッチ８０は、投入されることにより、実行中のモードを維持させるためのスイッチである。このホールドスイッチ８０は、上記リモートコントロール装置４の上カバー７６にスライド可能に取り付けられたホールドスイッチスライダ８により操作される。
上記ボリューム９は、上記第１のコード束５を介してこのリモートコントロール回路基板７９に至り、次に、後述する電気−音響変換装置となるヘッドホン装置５７に送られる音響信号のレベルを調整するものである。このボリューム９は、レベル調整を行うための回転板の一部を、上記上カバー７６に形成されたスリット９０を介して、上記リモートコントロール装置４の外方側に臨ませている。
【００３０】
また、上記一対のロック溝部材４６，４６は、金属の如き導体材料により形成され、上記リモートコントロール回路基板上の回路に対して、上記第１のコード束のうちの操作信号が授受されるコードと並列となされて接続されている。これらロック溝部材４６，４６は、上記リモートコントロール装置４の両側側に設けられた一対の透孔部を介して、外方側に臨んでいる。これら透孔は、上記上下カバー７６，７７の両側部分に設けられた切り欠き部９２，９２、９１，９１が突き合わせられることにより形成されている。
【００３１】
これらロック溝部材４６，４６は、上記リモートコントロール装置４の外方側となる面部に、溝状の凹部を有している。
【００３２】
［３］第１のコードリール
そして、上記本体部１内には、上記第１のコード束５を巻き取ってこの第１のコード束５を該本体部１内に収納させる第１のコードリール２９が回転操作可能に配設されている。
【００３３】
この第１のコードリール２９は、上記前面パネル部３の背面部にネジ７５により取り付けられた中継基板７３に植設された支軸２２に回転可能に軸支され、この中継基板７３と該前面パネル部３との間に位置している。
この第１のコードリール２９のハブ部には、上記第１のコード束５の他端側が保持されている。この第１のコード束５を構成する各コードの他端側部分は、この第１のコードリール２９に設けられた複数の端子環に対応して接続されている。これら端子環は、金属の如き導電材料により形成され、上記第１のコードリール２９に対して同心円状となされて取り付けられている。
【００３４】
上記第１のコードリール２９に設けられた各端子環は、図６に示すように、上記電子回路基板上に設けられた複数のブラシ片６５に対応して摺接され、これらブラシ片６５を介して、該電子回路基板に接続されている。すなわち、上記第１のコード束５を構成する各コードは、上記電子回路基板に接続されている。
上記第１のコードリール２９には、第１のラチェット車２８が取り付けられている。
【００３５】
また、上記第１のコードリール２９には、この第１のコードリール２９をこの第１のコードリール２９が上記第１のコード束５を巻き取る方向に回転付勢する第１の付勢手段となる第１の巻きゼンマイ３０が取り付けられている。
上記第１の巻きゼンマイ３０は、螺旋状に巻回され、外周側の端部分を上記第１のコードリール２９のハブ部に掛止され、内周側の端部分を上記支軸２２に設けられた切り込み部７４に掛止されている。
【００３６】
この第１の巻きゼンマイ３０は、図１中矢印Ｆで示すように、上記第１のコードリール２９に上記第１のコード束５が巻き込まれる方向に、この第１のコードリール２９を回転付勢している。
そして、上記本体部１内には、上記第１のコードリール２９の回転を解除操作可能に阻止する第１の係止機構が配設されている。この第１の係止機構は、係止レバー３１と係止解除レバー３５とにより構成されている。
【００３７】
上記係止レバー３１は、基端側の支持孔３２に上記前面パネル部３の背面部に植設された支軸２３を挿通させて回動可能に支持されている。この係止レバー３１は、先端側に、上記第１のラチェット車２８の歯部に係合する鈎状の係止部を有している。
この係止レバー３１は、一体的に形成された板バネ部３３及び引っ張りコイルバネ６３により、図１中矢印Ｅで示すように、上記係止部を上記第１のラチェット車２８の歯部に係合させる側に回動付勢されている。上記引っ張りコイルバネ６３は、上記係止レバー３１の基端側の掛止ピン６４と上記前面パネル部３の背面部との間に張架されている。
【００３８】
この係止レバー３１は、上記係止部を上記第１のラチェット車２８の歯部に係合させることにより、上記第１のコードリール２９の上記第１の巻きゼンマイ３０の付勢力に準ずる方向の回転を阻止する。また、この係止レバー３１は、上記係止部を上記第１のラチェット車２８の歯部に係合させていても、上記第１のコードリール２９が上記第１の巻きゼンマイ３０の付勢力に抗する方向に回転されるときには、この係止部を該第１のラチェット車２８上に摺接させ、該第１のコードリール２９の回転を阻害しない。
【００３９】
上記係止解除レバー３５は、ガイドスリット３６，３７を有し、これらガイドスリット３６，３７に、上記前面パネル部３の背面部に植設されたガイド支軸を挿通させることにより、スライド可能に支持されている。
この係止解除レバー３５は、一端側の係合ピン４１を上記係止レバー３１の先端側に設けられた係合スリット３４に係合させている。この係止解除レバー３５は、引っ張りコイルバネ４０により、図１中矢印Ａで示すように、上記係止レバー３１の係止部が上記第１のラチェット車２８の歯部に係合することとなる方向にこの係止レバー３１を回動させる方向に付勢されている。
【００４０】
この係止解除レバー３５は、上記引っ張りコイルバネ４０の付勢力に抗してスライド操作されることにより、図１中矢印Ｄで示すように、上記係止レバー３１を回動操作し、この係止レバー３１の係止部を上記第１のラチェット車２８より離間させる。
【００４１】
上記係止解除レバー３５は、連係突起３９を有し、この連係突起３９を、上記前面パネル部３にスライド可能に配設された第１のコード引き込みスライダ２０に連係させている。この第１のコード引き込みスライダ２０は、上記前面パネル部３に形成された透孔の縁部により支持され、この前面パネル部３の前面側及び背面側に臨んでおり、背面部において上記係止解除レバー３５の連係突起３９と連係している。
【００４２】
このコード引き込みスライダ２０は、図１中矢印Ｂで示すように、上記引っ張りコイルバネ４０の付勢力に抗する方向にスライド操作されることにより、上記係止解除レバー３５を介して、上記係止レバー３１を回動操作し、この係止レバー３１の係止部を上記第１のラチェット車２８より離間させる。
上記係止レバー３１の係止部が上記第１のラチェット車２８より離間されると、上記第１のコードリール２９は、上記第１の巻きゼンマイ３０の付勢力により回転操作される。
【００４３】
［４］ヘッドホン装置
そして、上記リモートコントロール装置４のリモートコントロール回路基板７９には、第２のコード束６１を介して、電気−音響変換装置となるヘッドホン装置５７が、後述する第２のコードリール１５を介して接続されている。
【００４４】
このヘッドホン装置５７は、図１及び図１２に示すように、左右一対のユニット部５８，５９を有して構成されている。これらユニット部５８，５９は、ユニット６８を有して構成されている。このユニット６８は、振動板、この振動板に取り付けられたボイスコイル、及び、このボイスコイルを移動させる磁気回路等を有して構成され、入力された電気信号を音響に変換する。
【００４５】
上記第２のコード束６１は、上記各ユニット部５８，５９に対応して、２本のコード束が一組となっている。この第２のコード束６１は、上記リモートコントロール装置４の上カバー７６の側面部に形成された透孔１３を介して、このリモートコントロール装置４の外方側に引き出されている。
上記各ユニット部５８，５９は、上記ユニット６８の外面部を覆うカバー部６６を有している。このカバー部６６は、上記ユニット６８の放音部となる前面部分を外方側に臨ませるための放音口６７を有している。
【００４６】
このヘッドホン装置５７は、上記第２のコード束６１及び上記第１のコード束５を介して、上記記録再生部を構成する上記電子回路基板との間で、音響信号の授受を行う。
【００４７】
［５］第２のコードリール
上記リモートコントロール装置４内には、図７に示すように、上記第２のコード束６１を巻き取ってこの第２のコード束６１を該リモートコントロール装置４内に収納させる第２のコードリール１５が回転操作可能に配設されている。
【００４８】
この第２のコードリール１５は、上記リモートコントロール装置４の上カバー７６の下面部にこのリモートコントロール装置４の内方側に向けて植設された支軸８２に回転可能に軸支され、該リモートコントロール装置４内に収納されている。
この第２のコードリール１５のハブ部には、上記第２のコード束６１の一端側が保持されている。この第２のコード束６１を構成する各コードの一端側部分は、この第２のコードリール１５に設けられた複数の端子環に対応して接続されている。これら端子環は、金属の如き導電材料により形成され、上記第２のコードリール１５に対して同心円状となされて取り付けられている。
【００４９】
上記第２のコードリール１５に設けられた各端子環は、上記リモートコントロール回路基板７９上に設けられた図示しない複数のブラシ片に対応して摺接され、これらブラシ片を介して、該リモートコントロール回路基板７９に接続されている。
すなわち、上記第２のコード束６１を構成する各コードは、上記リモートコントロール回路基板７９に接続され、さらに、このリモートコントロール回路基板７９及び上記第１のコード束５を介して、上記本体部１の電子回路基板に接続されている。
【００５０】
上記第２のコードリール１５には、第２のラチェット車１４が取り付けられている。
また、上記第２のコードリール１５には、この第２のコードリール１５をこの第２のコードリール１５が上記第２のコード束６１を巻き取る方向に回転付勢する第２の付勢手段となる第２の巻きゼンマイ１６が取り付けられている。
【００５１】
上記第２の巻きゼンマイ１６は、螺旋状に巻回され、外周側の端部分を上記第２のコードリール１５のハブ部に掛止され、内周側の端部分を上記支軸８２に設けられた切り込み部８３に掛止されている。
この第２の巻きゼンマイ１６は、図７中矢印Ｇで示すように、上記第２のコードリール１５に上記第２のコード束６１が巻き込まれる方向に、この第２のコードリール１５を回転付勢している。
【００５２】
そして、上記リモートコントロール装置４内には、上記第２のコードリール１５の回転を解除操作可能に阻止する第２の係止機構が配設されている。この第２の係止機構は、係止スライダ７により構成されている。
上記係止スライダ７は、上記リモートコントロール装置４の側面部に設けられた透孔９３の縁部により、スライド可能に支持されている。この係止スライダ７は、一体的に形成された板バネ部を介して、上記第２のラチェット車１４の歯部９５に係合する係止部を有している。
【００５３】
この係止スライダ７は、一体的に形成された上記板バネ部を上記リモートコントロール装置４内に立設された当接ピン８９に当接させることにより、図１中反矢印Ｌ方向である上記係止部を上記第２のラチェット車１４の歯部９５に係合させる側に移動付勢されている。
この係止スライダ７は、上記係止部を上記第２のラチェット車１４の歯部９５に係合させることにより、上記第２のコードリール１５の上記第２の巻きゼンマイ１６の付勢力に準ずる方向の回転を阻止する。また、この係止スライダ７は、上記係止部を上記第２のラチェット車１４の歯部９５に係合させていても、上記第２のコードリール１５が上記第２の巻きゼンマイ１６の付勢力に抗する方向に回転されるときには、この係止部を該第２のラチェット車１４上に摺接させ、該第２のコードリール１５の回転を阻害しない。
【００５４】
この係止スライダ７は、図７中矢印Ｌで示すように、上記板バネ部の付勢力に抗してスライド操作されることにより、図７中矢印Ｍで示すように、該板バネ部が上記当接ピン８９に当接されて弾性変位することにより、上記係止部を上記第２のラチェット車１４より離間させる。
上記係止スライダ７の係止部が上記第２のラチェット車１４より離間されると、上記第２のコードリール１５は、上記第２の巻きゼンマイ１６の付勢力により回転操作される。
【００５５】
なお、上記リモートコントロール装置４内には、上記第２のコードリール１５の側部に対応して、弛み防止レバー８４が配設されている。この弛み防止レバー８４は、基端側に支持孔８５を有し、この支持孔８５に上記リモートコントロール装置４内に立設された支軸８７を挿通させて回動可能に支持され、先端側を上記第２のコードリール１５に対して接離可能としている。この弛み防止レバー８４の先端側には、ローラ部８６が回転可能に取り付けられている。このローラ部８６の回転軸は、上記第２のコードリール１５の回転軸に平行な方向となされている。
【００５６】
上記弛み防止レバー８４は、上記リモートコントロール装置４内に配設された捻りコイルバネ９４により、図７中矢印Ｎで示すように、上記ローラ部８６を上記第２のコードリール１５に押接させる方向に回動付勢されている。
この弛みは防止レバー８４は、上記第２のコードリール１５に巻回されている上記第２のコード束６１に上記ローラ部８６を押接させることにより、この第２のコード束６１が該第２のコードリール１５に巻き取られるときのこの第２のコード束６１の巻き弛みを防止する。
【００５７】
そして、上記第１の係止機構は、上記本体部１に設けられた上記リモートコントロール装置保持部１７内に上記リモートコントロール装置４が嵌入されて保持されているときには、上記第１のコードリール２９に対する回転の阻止の解除操作をなされると、この解除操作に連動して上記第２の係止機構を操作して、この第２の係止機構による上記第２のコードリール１５の回転の阻止を解除させる。
【００５８】
すなわち、上記コード引き込みスライダ２０が、図１中矢印Ｂで示すように、上記引っ張りコイルバネ４０の付勢力に抗する方向にスライド操作されると、上記係止解除レバー３５は、他端側に形成された操作爪３８を、図１及び図９中矢印Ｋで示すように、上記リモートコントロール装置保持部１７内に位置する上記リモートコントロール装置４の係止スライダ７のスライド方向に移動させる。
【００５９】
上記操作爪３８は、上記リモートコントロール装置保持部１７の側面部分に形成された透孔１９を介して、このリモートコントロール装置保持部１７内に進入されている。
したがって、上記リモートコントロール装置４が上記リモートコントロール装置保持部１７内の所定位置に位置している場合には、上記操作爪３８は、上記係止スライダ７をこの係止スライダ７の板バネ部の付勢力に抗して移動操作する。
【００６０】
［６］リモートコントロール装置保持部
上記本体部１の外側部には、図１及び図３に示すように、上記リモートコントロール装置保持部１７内に位置して、上記記録再生部の電子回路基板に接続された第１の操作信号用接点となる一対のロックバー２４，２４が設けられている。これらロックバー２４，２４は、上記リモートコントロール装置保持部１７の両側側に位置して形成された一対の透孔１８，１８を介して、互いに対向されて配設されている。
【００６１】
上記各ロックバー２４，２４は、図８及至図１１に示すように、それぞれ円柱状に形成され、中央部分に中央縮径部７１を有し、両端側部分に端側縮径部７０，７０を有している。これらロックバー２４，２４は、軸方向を上記リモートコントロール装置保持部１７の底面部に平行として支持され、上記各端側縮径部７０，７０を上記各透孔１８，１８の両側側に延在させることにより、これら透孔１８，１８より抜け出すことが阻止されている。
【００６２】
上記各ロックバー２４，２４は、図８及至図１１に示すように、上記前面パネル部３の背面部に配設された一対の捻りコイルバネ２５，２５により、図８、図１０及び図１１中矢印Ｈで示すように、上記リモートコントロール装置保持部１７の内方側に向けて、すなわち、上記各透孔１８，１８より外方側に突出される方向に移動付勢されている。上記各コイルバネ２５，２５は、一方のアーム部２７を上記前面パネル部３の背面部により掛止され、他方のアーム部２６を上記ロックバー２４の中央縮径部７１内に当接させている。
【００６３】
上記リモートコントロール装置４が上記リモートコントロール装置保持部１７内に嵌入されると、図１１に示すように、上記各ロックバー２４，２４は、このリモートコントロール装置４の両側側より、上記各ロック溝部材４６，４６の溝状の凹部内に嵌合する。
このとき、上記リモートコントロール装置は、上記各ロックバー２４，２４により、上記リモートコントロール装置保持部１７に対して保持される。
【００６４】
また、このとき、上記リモートコントロール装置４は、上記各ロック溝部材４６，４６を上記各ロックバー２４，２４に接続させており、これら各ロック溝部材４６，４６及び各ロックバー２４，２４を介して、上記記録再生部の電子回路基板との間で操作信号の授受を行う。
【００６５】
［７］ヘッドホンホルダ
そして、上記本体部１の外側部となる上記前面パネル部３の前面部には、図１及び図４に示すように、電気−音響変換装置保持部となる一対のヘッドホンホルダ４２，４３が設けられている。
【００６６】
上記各ヘッドホンホルダ４２，４３は、上記前面パネル部３に対するプレス加工（屈曲加工）、または、該前面パネル部３の前面部に合成樹脂材料よりなる部材を貼着することによって、図１３に示すように、上記ユニット部５８，５９の前面部分に略々対応した直径を有する短い円柱形状を有して形成され、該前面パネル部３の前方側に向けて突出されている。
【００６７】
上記各ヘッドホンホルダ４２，４３は、先端側の周囲部を巡るフランジ部を有している。このフランジ部は、前面側がＲ面部６２となされ、後面側がＣ面部４７となされている。上記Ｒ面部６２は、トーリック面形状、または、球面の一部である形状となっている。上記Ｃ面部４７は、円錐面の一部である形状となっている。
【００６８】
また、上記ヘッドホンホルダ４２，４３の前面部６９は、上記ユニット６８の前面部の凸面形状に対応して、凹面形状となされている。
上記各ヘッドホンホルダ４２，４３は、図１４に示すように、それぞれ上記フランジ部を上記カバー部６６の放音口６７内に嵌合させることにより、上記各ユニット部５８，５９を対応して保持する。
【００６９】
このとき、上記カバー部６６は、可撓性を有する材料により形成されていることによって、上記放音口６７の内周部を上記フランジ部に押圧されてこの放音口６７の内周部が可撓的に変形されることで、上記各ヘッドホンホルダ４２，４３に保持される。
したがって、上記各ホルダ部５８，５９は、図１４中矢印Ｊで示すように、上記各ヘッドホンホルダ４２，４３側に押圧されることにより、該ヘッドホンホルダ４２，４３に保持される。また、上記各ホルダ部５８，５９は、図１４中反矢印Ｊ方向である上記各ヘッドホンホルダ４２，４３より離間される側に引っ張られることにより、該ヘッドホンホルダ４２，４３より取り外される。
【００７０】
［８］テーププレーヤ装置の動作
上述のようにテーププレーヤ装置として構成された本発明に係る記録再生装置においては、図３に示すように、上記リモートコントロール装置４を上記リモートコントロール装置保持部１７内に保持させるとともに、上記各ユニット部５８，５９を上記各ヘッドホンホルダ４２，４３に保持させておくことができる。
【００７１】
このとき、上記コード引き込みスライダ２０を操作することにより、上記第１のコード束５を上記第１の巻きゼンマイ３０の付勢力により上記第１のコードリール２９に巻き取らせるとともに、上記第２のコード束６１を上記第２の巻きゼンマイ１６の付勢力により上記第２のコードリール１５に巻き取らせることができる。
【００７２】
そして、このテーププレーヤ装置においては、図４に示すように、上記各ユニット部５８，５９を上記各ヘッドホンホルダ４２，４３より外して引っ張ることにより、上記第２のコードリール１５を上記第２の巻きゼンマイ１６の付勢力に抗して回転させつつ、上記第２のコード束６１を該第２のコードリール１５より引き出すことができる。
【００７３】
この状態において、上記各ユニット部５８，５９を引っ張るのを止めると、上記係止スライダ７が上記第２のラチェット車１４に係合してこの第２のラチェット車１４の上記第２の巻きゼンマイ１６の付勢力による回転を阻止し、上記第２のコード束６１は、引き出されたままの状態となる。
そして、このとき、上記コード引き込みスライダ２０を操作すると、上記係止解除レバー３５を介して上記係止スライダ７が操作され、上記第２のコード束６１は、上記第２の巻きゼンマイ１６の付勢力により上記第２のコードリール１５に巻き取られる。
【００７４】
さらに、このテーププレーヤ装置においては、図５に示すように、上記リモートコントロール４を上記リモートコントロール装置保持部１７より外して引っ張ることにより、上記第１のコードリール２９を上記第１の巻きゼンマイ３０の付勢力に抗して回転させつつ、上記第１のコード束５を該第１のコードリール２９より引き出すことができる。
【００７５】
この状態において、上記リモートコントロール４を引っ張るのを止めると、上記係止レバー３１が上記第１のラチェット車２８に係合してこの第１のラチェット車２８の上記第１の巻きゼンマイ３０の付勢力による回転を阻止し、上記第１のコード束５は、引き出されたままの状態となる。
そして、このとき、上記コード引き込みスライダ２０を操作すると、上記係止解除レバー３５を介して上記係止レバー３１が操作され、上記第１のコード束５は、上記第１の巻きゼンマイ３０の付勢力により上記第１のコードリール２９に巻き取られる。
【００７６】
このテーププレーヤ装置においては、上記カセット収納部にテープカセットが収納されて上記カセット蓋部４が上記シャーシ部２に突き合わせられた状態で、上記リモートコントロール装置４の再生スイッチが操作されると、該テープカセットの磁気テープより音響信号の読出しを行う再生モードが実行される。
上記リモートコントロール装置４が上記リモートコントロール装置保持部１７内に保持されているときには、このリモートコントロール装置４の各スイッチが操作されたことを示す操作信号は、上記第１のコード束５を介して上記記録再生部の電子回路基板に入力されるのみならず、上記各ロック溝部材４６，４６及び各上記ロックバー２４，２４を介して、該電子回路基板に入力される。したがって、この場合には、上記第１のコード束５に断線が生じても、上記操作信号の授受に影響がない。
【００７７】
そして、上記リモートコントロール装置４が上記リモートコントロール装置保持部１７より取り外されているときには、このリモートコントロール装置４の各スイッチが操作されたことを示す操作信号は、上記第１のコード束５を介して上記記録再生部の電子回路基板に入力される。
上記磁気テープより読出された音響信号は、電気信号として、上記シャーシ部２の側面部に設けられた図示しない出力ジャック及び上記ヘッドホン装置５７に送られる。
【００７８】
上記ヘッドホン装置５７は、上記第１及び第２のコード束５，６１を介して上記一対のユニット部５８，５９に上記音響信号が供給され、これらユニット部５８，５９の各ユニット６８，６８により上記音響信号を音響に変換する。
なお、上記出力ジャックは、上記前面パネル部３の側部に形成されたヘッドホンジャック孔４４を介して外方側に臨んでおり、上述のヘッドホン装置５７とは別のヘッドホン装置が接続されるように構成されている。
【００７９】
また、このテーププレーヤ装置は、上記早送りモード及び巻戻しモードにおいては、上記磁気テープを高速で送り操作して、該磁気テープ上の再生箇所を迅速に探しだすことができる。
なお、本発明に係る記録再生装置は、上述の実施例の如きテーププレーヤ装置のみならず、種々の記録再生装置、例えば、テープレコーダ装置、ビデオテープレコーダ装置、ディスクレコーダ装置、または、ディスクプレーヤ装置等として構成することができる。
【００８０】
上記ディスクレコーダ装置、または、上記ディスクプレーヤ装置において記録媒体となるディスクは、いわゆる光ディスク、磁気ディスク、または、光磁気ディスク等の情報信号記録ディスクである。
【００８１】
【発明の効果】
上述のように、本発明に係る記録再生装置においては、リモートコントロール装置を本体部内の記録再生手段に接続させる第１のコード束は、該本体部内に回転操作可能に配設された第１のコードリールに巻き取られ、電気−音響変換装置を該リモートコントロール装置に対して接続させる第２のコード束は、該リモートコントロール装置内に回転操作可能に配設された第２のコードリールに巻き取られる。
【００８２】
したがって、上記各コード束は、それぞれ装置内に収納されるとともに、上記各コードリールより引き出された状態においては、一繋がりの状態となり、互いに絡み合う虞れがない。そして、記録再生手段を収納した本体部に着脱可能なリモートコントロール装置は、本体部の操作部として機能することで、本体部の操作部を不要とし、重複していた操作部を簡素化することができる。
また、上記記録再生装置において、上記第１のコードリールを上記第１のコード束が巻き取られる方向に回転付勢する第１の付勢手段と、上記第２のコードリールを上記第２のコード束が巻き取られる方向に回転付勢する第２の付勢手段と、該第１のコードリールの回転を阻止する第１の係止機構と、該第２のコードリールの回転を阻止する第２の係止機構とを設け、上記第１の係止機構は、上記本体部に設けられたリモートコントロール装置保持部に上記リモートコントロール装置が保持されているときには、上記第１のコードリールに対する回転の阻止の解除操作をなされると、この解除操作に連動して上記第２の係止機構を操作して、上記第２のコードリールの回転の阻止を解除させることとした場合には、該第１の係止機構に対する一の操作により、上記第１のコード束及び上記第２のコード束のそれぞれを対応するコードリールに巻き取らせることができる。
【００８３】
すなわち、本発明は、記録再生手段に対してコード束を介して接続されたリモートコントロール装置及び電気−音響変換装置を有する記録再生装置であって、携帯時等にはこのコード束を装置内に収納することができ、また、このコード束の絡み等の不便が解消された記録再生装置を提供することができるものである。
【図面の簡単な説明】
【図１】本発明に係る記録再生装置の本体外筐部の構成を示す分解斜視図である。
【図２】上記記録再生装置の構成を示す斜視図である。
【図３】上記記録再生装置の構成を示す平面図である。
【図４】上記記録再生装置においてヘッドホン装置を引き出した状態を示す平面図である。
【図５】上記記録再生装置においてヘッドホン装置及びリモートコントロール装置を引き出した状態を示す平面図である。
【図６】上記記録再生装置の本体外筐部の構成を示す底面図である。
【図７】上記リモートコントロール装置の構成を示す分解斜視図である。
【図８】上記記録再生装置の本体外筐部の一側側の要部の構成を透視して示す要部平面図である。
【図９】上記記録再生装置の本体外筐部の他側側の要部の構成を透視して示す要部平面図である。
【図１０】上記記録再生装置の本体外筐部の要部の構成を示す要部縦断面図である。
【図１１】上記記録再生装置の本体外筐部にリモートコントロール装置が取り付けられた状態を示す要部縦断面図である。
【図１２】上記記録再生装置のヘッドホン装置のユニット部の構成を一部を破断して示す側面図である。
【図１３】上記記録再生装置のヘッドホン装置保持部の構成を示す側面図である。
【図１４】上記ヘッドホン装置のユニット部が上記ヘッドホン装置保持部に保持された状態を一部を破断して示す側面図である。
【符号の説明】
１  本体部
４２，４３  ヘッドホンホルダ
４７  Ｃ面部
５２  磁気ヘッド装置
５７  ヘッドホン装置
５８，５９  ユニット部
６１  第２のコード束
６２  Ｒ面部
６６  カバー部
６７  放音口
６８  ユニット
【図１】
0003555198.tif 000002
【図２】
0003555198.tif 000003
【図３】
0003555198.tif 000004
【図４】
0003555198.tif 000005
【図５】
0003555198.tif 000006
【図６】
0003555198.tif 000007
【図７】
0003555198.tif 000008
【図８】
0003555198.tif 000009
【図９】
0003555198.tif 000010
【図１０】
0003555198.tif 000011
【図１１】
0003555198.tif 000012
【図１２】
0003555198.tif 000013
【図１３】
0003555198.tif 000014
【図１４】
0003555198.tif 000015